(57)【要約】      （修正有）【課題】買い物用ポリ袋を効率よく収納し、かつ取り出しやす収納箱を提供する。【解決手段】ポリ袋８を掛けるタオル掛け等の把手１等の固定部材３を固定し、この固定部材３の両側に可動部材４、５を曲折自在に設け、この可動部材４、５の適当な個所に、マジックテープ、磁石等の止め具６ａ、６ｂを設け、タオル掛け等の把手１にポリ袋８を掛けた後、まず可動部材４を固定部材３側に折りたたみ、その後可動部材５可動部材４の上に重ねて、マジックテープ、磁石等の止め具６ａ、６ｂを重ねて、ポリ袋８を抑えて固定する買い物ポリ袋抑え収納袋。【選択図】図１
2005199023.tif 000002
【特許請求の範囲】
【請求項１】
ポリ袋（８）を掛けるタオル掛け等の把手（１）等の下方に固定部材（３）を固定し、この固定部材（３）の両側に可動部材（４）、（５）を曲折自在に設け、この可動部材（４）、（５）の適当な個所に、マジックテープ、磁石等の止め具（６ａ）、（６ｂ）を設け、タオル掛け等の把手（１）等にポリ袋（８）を掛けた後、まず可動部材（４）を固定部材（３）側に折りたたみ、その後可動部材（５）を可動部材（４）の上に重ねて、マジックテープ、磁石等の止め具（６ａ）、（６ｂ）を重ねて、ポリ袋（８）を抑えて固定する買い物ポリ袋抑え収納箱。
【請求項２】
固定部材（３）の上端部に切り欠き部（７）を構成することにより、固定部材（３）の上端を可動部材（４）、（５）の上端より低くして、ポリ袋（８）の上部が可動部材（４）、（５）によって隠されて見え難くなった請求項１記載の買い物ポリ袋抑え収納箱。
【請求項３】
把手等（１）に仕切り部材（１２）を着脱自在に設け、ポリ袋を大きさによって分別できるようにした請求項１又は２記載の買い物ポリ袋抑え収納箱。
【発明の詳細な説明】
【技術分野】
【０００１】本発明は、スーパー等用、買い物ポリ袋の収納方法に関するものである。
【背景技術】
【０００２】スーパー等などで、用いられる買い物ポリ袋は、毎日増え収納には、なかなか困難です。従来のものは、ポリ袋の出し入れが面倒であったり、ポリ袋の大きさ別に分ける事が出来ず、構造も複雑だったり、美的観点からも良くありませんでした。なお、従来例として次の４件の文献があります。
【特許文献１】    特開平１０−２３６５４７
【特許文献２】    特開２００３−１３７２３１
【特許文献３】    実用登録３０８０４２１
【特許文献４】    特開平０７−２５１８８０
上記、特許文献１では、上部に返しをそれぞれ有する底板、背面板、大仕切板、中仕切前面版を背面から前面に向かって徐々に間隔が狭く、大きさは小さくなるように設けた板、買物用ポリ袋の大中小分別及び収納具が開示されています。
特許文献２では、両側部を有する収納本体と、  収納本体の両側部の下部に両端を回動自在に軸支され、ポリ袋等を指圧可能な押さえ部材とを備え、押さえ部材と収納本体の間に形成されたことを特徴とした収納具が開示されています。
特許文献３では、本体上部に投入口を設け、本体の正面に投入口と係合した指送りだし口を設け、本体の下方部を投入口の形状よりしぼりをもたらした傾斜つき留め口を設け、傾斜つき留め口の先端に引き出す口を設け、本体の背面側に吸盤止めを設けたことを特徴とした収納具が開示されています。
特許文献４では、四辺形の布を胴長の筒に形成し、その上方開口部に紐通し部を、下方開口部に葉ゴム紐通し部を設け、前記紐通し部には下げ手を形成するのに十分に長い紐を通し、前記ゴム紐通し部にはゴム紐を通してその両端を結び、前記下方開口部の開口径を前記上方開口部の開口径より十分縮小させ、前記十分に長い紐を通した前記上方開口部を収納口、前記胴長の筒を買い物袋の収納部、そして前記縮小した下方開口部を取り出し口とした収納袋が開示されています。
【発明の開示】
【発明が解決しようとする課題】
【０００３】しかし上記、特許文献１の発明では、収納具本体が複雑なため気楽に設置しずらく、収納後のポリ袋が左右から飛び出し美的観点からも良くありません。
しかし本発明は、ポリ袋は大中小に分けて収納出来、本体は箱型なので何処にでも設置でき、収納後ポリ袋は見え難いため美的観点からも良くなっている。
特許文献２の発明では、再利用するポリ袋を収納すると重ねても広がってしまいます。又、ポリ袋が丸見えなので、美的観点からも良くありません。
しかし、本発明は収納後のポリ袋を抑え見えなくしてしまうので、美的観点からも良くなっています。
特許文献３の発明では、ポリ袋を小さく畳んだり広げたりしなければならない。又ポリ袋を大きさに分けて収納出来ない。取り出し口が下なので設置場所が限られてしまう。
しかし、本発明はポリ袋を小さく畳んだり、広げたりがほとんどなく、ポリ袋は大中小に分け収納出来ます。取り出し口は上部にあるので、設置場所はかなり自由になる。
特許文献４の発明も、上記の特許文献３と、まったく同じである。
【課題を解決するための手段】
【０００４】本発明は、このような問題を解決する物で、ポリ袋を引っ掛ける把手、又はタオル掛け等の引っ掛け棒の下方に固定部材を固定し、この固定部材の両側に左右曲折自在の可能部材を設け、この左右の可動部材の適当な個所に、マジックテープ、ゴム、ホック、磁石等の止め具を設け、把手、又はタオル掛け等の引っ掛け棒に、ポリ袋を二つ折りか四つ折りにして引っ掛けた後、まず左側の可動部材を固定部材側に折り畳み、その後右側の可動部材を左側の可動部材の上に重ねて、マジックテープ、ゴム、ホック、磁石等の止め具で抑えて固定します。ポリ袋の取り出し口は上部にあり一袋ごと取り出せるので楽で、小さく畳んだり広げたりの手間が少なく、コンパクトで収納枚数も多く、収納後のポリ袋が広がらない様に抑え固定部材の上端部に切り欠き部があるため、収納後のポリ袋は見え難いのでスッキリ収納出来ます。収納箱本体は箱型なので何処にでもなじんで設置出来ます。さらに、把手、又はタオル掛け等の引っ掛け棒に仕切り部材を着脱可能に設け、本体の正面に小袋を設けたことでポリ袋の、大中小を分別し収納可能になっている。
【発明の効果】
【０００５】本発明の効果は次の通りです。ポリ袋は二つ折りか四つ折で収納出来、取り出し後は広げる事もほとんどなく、すぐ使えます。収納箱本体の厚みは、５ｃｍ位までなので、場所をとらずに設置が出来、把手、又はタオル掛け等の引っ掛け棒を利用することで、何処にでも設置が出来、取り出し口が上部にあるので、設置場所はかなり自由になる。収納具は箱型なので収納後のポリ袋は、固定部材に、切り欠き部を設けたことで見え難くなっているので、美的観点からも良くなっています。なお、把手、又はタオル掛け等の引っ掛け棒に仕切り部材を着脱可能に設け、本体の正面に小袋を設けたことで、ポリ袋を大中小に分別して収納可能になっている。
【発明を実施するための最良の形態】
【０００６】ポリ袋を掛ける、タオル掛け等の把手等の下方に固定部材を固定し、この固定部材の両側に可動部材を曲折自在に設け、この可動部材の適当な個所に、マジックテープ、磁石等の止め具を設け、タオル掛け等の把手等にポリ袋を掛けた後、まず可動部材を固定部材側に折りたたみ、その後右側の可動部材を左側の可動部材の上に重ねて、マジックテープ、磁石等の左右の止め具を重ねて、ポリ袋を抑えて固定する。
上記固定部材の上端部に切り欠き部を構成したため、固定部材の上端が低くなり、そのためポリ袋の上部が左右の可動部材によって隠されて見え難くなっている。
【実施例１】
【０００７】本発明の実例の形態を図面に示して説明する。
図１の買い物ポリ袋抑え収納箱Ａは、把手、又はタオル掛け等の引っ掛け棒（１）の下の部分に固定部材（３）を吸盤、ネジ、両面テープ等（２）で固定する。この固定部材【３】の両側に可動部材（４）、（５）を曲折自在に取り付ける。再利用するポリ袋は重ねても広がるため二枚の可動部材（４）、（５）で左右から抑えます。
すなわち、この可動部材（４）、（５）の両端部にマジックテープ、ゴム、ホック、磁石等の止め具（６ａ）、（６ｂ）を設け、可動部材（４）を固定部材（３）側に移動させてその後可動部材（５）を、可動部材（４）の上に重ねて止め具（６ａ）の上に止め具（６ｂ）を重ねて、ポリ袋を抑えて固定する。固定部材（３）の上端部に切り欠き部（７）を設けたことで固定部材（３）が可動部材（４）、（５）の上端より低くなり、そのためポリ袋の上部が可動部材（４）、（５）によって隠されて見え難くなっている。それは、美的観点からである。【０００８】図２に示すように買い物ポリ袋抑え収納箱Ａの材質はプラスチック等の軽量の物を使用し、中のポリ袋（８）が透けて見えない不透明な材質を使用する。可動部材（５）には模様、シール等（９）などをあしらう事で見た目に明るくし、小袋（１０）をつける事でポリ袋小（１１）入れにすると便利である。ポリ袋は上部から一袋ごと取り出します。【０００９】図３に示すように、再利用するポリ袋（８）は二つ折りに収納しても収納後は広がるため、可動部材（４）、（５）で、ポリ袋（８）を抑えるようにし、マジックテープ、ゴム、ホック、磁石等の止め具（６ａ）、（６ｂ）で止め可動部材（４）（５）が開かない様にする。買い物ポリ袋抑え収納箱Ａは、箱型で、固定部材（３）の上端部に切り欠き部（７）を設けたことで収納後のポリ袋は見え難いのでスッキリ収納出来ます。【０００１０】図４は、買い物ポリ袋抑え収納箱Ａの設置場所を示したものである。
戸棚（１３）、流し台（１４）等の把手（１）を利用し、把手（１）の下の部分に買い物ポリ袋抑え収納箱Ａを固定します。把手（１）がない場合は、タオル掛け等、引っ掛け棒（２０）を用意し、それを好きな場所に固定して使います。取り出し口が上部なので、設置場所は下の方まで可能である。販売のさいは、収納箱単独で販売してもよし、引っ掛け棒（２０）と収納箱をセットにして販売してもよい。【００１１】図５は、再利用するポリ袋大（１５）、中（１６）、小（１１）を分けて収納する方法を示したものです。ポリ袋を大、中、小、に分けて収納する時は、ポリ袋大（１５）ポリ袋中（１６）は四つ折にして、把手（１）に左右に分けて引っ掛けます。ポリ袋大（１５）とポリ袋中（１６）の間に着脱可能の仕切り部材（１２）を設けることでポリ袋大（１５）中（１６）が混ざり合い難く取り出しやすくなります。ポリ袋小（１１）は小さく畳み、図５の可動部材（５）に付いている小袋（１０）に入れることで、ポリ袋の大、中、小、が別々に収納出来ます。【００１２】図６は、仕切り部材を示したものです。把手等に仕切り部材（１２）を着脱自在に設け、ポリ袋を大きさによって分別出来るようにした。
【図面の簡単な説明】
【図１】本発明の正面透視図
【図２】本発明の使用状態（取り出し方法）を示す正面図
【図３】本発明の使用状態（収納方法）（閉じ方法）を示す斜視図
【図４】本発明の設置場所を示す説明図、ポリ袋引っ掛け棒の斜視図
【図５】ポリ袋大中小別の収納方法を示す説明図
【図６】仕切り部材の側面図と、使用説明図
【記号の説明図】
（１）      把手、又はタオル掛
（２）      吸盤、両面テープ
（３）      固定部材
（４）      可動部材（左側）
（５）      可動部材（右側）
（６ａ）    止め具（マジックテープ、ゴム、ホック、磁石等）  左側
（６ｂ）    止め具（マジックテープ、ゴム、ホック、磁石等）  右側
（７）      切り欠き部
（８）      ポリ袋
（９）      模様、シール等の飾り
（１０）    小袋
（１１）    ポリ袋  小
（１２）    仕切り部材
（１３）    戸棚
（１４）    流し台
（１５）    ポリ袋  大
（１６）    ポリ袋  中
（２０）    引っ掛け棒
Ａ        買い物ポリ袋抑え収納箱
【図１】
2005199023.tif 000003
【図２】
2005199023.tif 000004
【図３】
2005199023.tif 000005
【図４】
2005199023.tif 000006
【図５】
2005199023.tif 000007
【図６】
2005199023.tif 000008